(57)【要約】  【課題】張設した際に布地Ｂの変形等を好適に防止すると共に、布地Ｂの挟みこみなどによる無駄を一切無くす。  【解決手段】  布地Ｂを張った状態で保持する張設具Ａにおいて、前記布地Ｂの周囲に配置するフレーム１と、前記フレーム１に一端を着脱可能に止着させると共に、他端を前記布地Ｂに対して着脱可能に止着させる弾性部材２とを具備し、前記弾性部材２の弾性力を利用して布地Ｂを張った状態で前記フレーム１に保持することを特徴とする。  【選択図】図１
2006056154.tif 000002
【特許請求の範囲】
【請求項１】
布地等の被張設体を張った状態で保持する張設具において、
前記被張設体の周囲に配置するフレームと、
前記フレームに一端を着脱可能に止着させると共に、他端を前記被張設体に対して着脱可能に止着させる弾性部材とを具備し、前記弾性部材の弾性力を利用して被張設体を張った状態で前記フレームに保持する張設具。
【請求項２】
前記フレームを、棒状のフレーム杆と、前記フレーム杆の端部を内部に嵌装させて隣接するフレーム杆同士を連結する連結部材とから構成していることを特徴とする請求項１記載の張設具。
【請求項３】
前記フレーム杆の一部又は全部を撓みを許容する部材にて構成すると共に、前記フレーム杆と前記連結部材とを摺動可能に連結していることを特徴とする請求項２記載の張設具。
【請求項４】
前記弾性部材を、前記フレームに係止されるフック要素と、当該フック要素に着脱可能に連結され、前記フレームと前記被張設体との間で伸縮可能な伸縮要素にて構成し、
当該伸縮要素の一端に他の伸縮要素を取付ける取付部を設け、当該取付部を用いて複数の伸縮要素を連設可能に構成していることを特徴とする請求項１乃至３記載の張設具。
【請求項５】
前記弾性部材の一端に、針状部を有する引掛要素を備え、
当該引掛要素を用いて弾性部材を被張設体に止着させると共に、当該引掛要素を側面視横向きＵ字形状に構成していることを特徴とする請求項１乃至４記載の張設具。
【請求項６】
被張設体の第一周辺と、当該第一周辺と隣接する第二周辺とを、異なる弾性部材にて個々に張設していることを特徴とする請求項１乃至５記載の張設具。
【請求項７】
被張設体の第一周辺と、当該第一周辺と隣接する第二周辺とを、直交する方向に張設していることを特徴とする請求項１乃至６記載の張設具。
【請求項８】
前記フレームを床面から離間させる台座部材を具備し、
当該台座部材を、前記連結部材の下方に設けた台座部と、当該台座部に嵌装されたフレーム杆とから構成していることを構成していることを特徴とする請求項１乃至７記載の張設具。
【請求項９】
前記フレームの全部又は一部を木材にて構成していることを特徴とする請求項１乃至８記載の張設具。
【請求項１０】
張設具のフレームに一端を着脱可能に止着させると共に、他端を被張設体に対して着脱可能に止着させ、前記フレームと前記被張設体とを接続する弾性部材において、
前記フレームに係止されるフック要素と、
当該フック要素に着脱可能に連結され、前記フレームと前記被張設体との間で伸縮可能な伸縮要素と、
当該伸縮要素の一端に他の伸縮要素を取付ける取付部とを具備し、当該取付部を用いて複数の伸縮要素を連設可能に構成したことを特徴とする弾性部材。
【発明の詳細な説明】
【技術分野】
【０００１】
本発明は、布地の刷毛染め等に好適に用いられる張設具に関するものである。
【背景技術】
【０００２】
従来、ハンカチ等の布地を刷毛染めするためには、まず当該布地を均一に張った状態に保持しておく必要がある。
【０００３】
そのための張設具としては、伸子が用いられる。この伸子は、小さい布地や布端を無駄にしたくない場合などに良く利用されるものであり、竹等の撓みを許容する本体部材の両端に針状部を取り付け、当該針状部を布地に突き指し、前記本体部材の弾性変形を利用して前記布地を張るものである。
【０００４】
また、前記伸子ではまかない切れないような長い布地等は、前記伸子と張木とが併用される。
【０００５】
この張木は、長寸の木材の上面に長手方向に沿って複数の針状部を設けた第一張木と、前記第一張木の針状部を受ける第二の張木とを有しており、前記第一張木と第二張木との間に布地を挟持させて固定するものである。
【０００６】
また、芸術作品などの大きな布地は、予め作品の大きさに形成した木枠に押しピンなどを用いて布地の端部を止める方法が採用されている。
（例えば、特許文献１を参照）。
【特許文献１】特開２００１−６３２９７号
【発明の開示】
【発明が解決しようとする課題】
【０００７】
ところが、前述の伸子を用いる方法では、布地を張ったときに、針状部が布地を貫通して突き出ているため、染色の際に刷毛が引っ掛かってしまう。また、針状部が露出しているため作業者にとって危険であり、特に布地から不意に外れた際には目などを突いてしまうなど、大変危険なものとなっている。
【０００８】
加えて針状部が細いと曲がり易く、一方太いと布地に穴が開いてしまう。
【０００９】
また、例えばハンカチ等の四角い布地の対角同士を伸子を用いて張設した場合には、角が外側に牽引されてしまい布地の直角箇所を維持した状態で張設することができず、染色の際に模様が歪んでしまうという不具合が生じる。
【００１０】
更に、張設した状態では伸子は弓なっているため水平に安定して置くことができず、染色の際に扱いづらいばかりか、乾燥時には複数の伸子を積み重ねて置くことができないため場所を取ってしまう。
【００１１】
また、張木は布地の端部を挟みこむ構成であるため、挟みこみ部分の数センチは染色することができず無駄になってしまう。加えて、当該挟みこみ部分は、乾燥から湿潤などの湿度変化による伸縮に対応できないため、更なるロスを生むこととなる。
【００１２】
一方、木枠を用いる方法は、予め個々の布地のサイズに合わせた木枠を逐次作る必要があり、また周囲を全て固定しているため布地の伸縮に対応できず、その都度押しピンを留め直すなどの煩雑な作業を強いられる。また、木枠に留められる布地部分は、均一に仕上がらないため無駄になってしまう。
【課題を解決するための手段】
【００１３】
上記の問題点を一挙に解消するために、本発明は、布地等の被張設体を張った状態で保持する張設具において、前記被張設体の周囲に配置するフレームと、前記フレームに一端を着脱可能に止着させると共に、他端を前記被張設体に対して着脱可能に止着させる弾性部材とを具備し、前記弾性部材の弾性力を利用して被張設体を張った状態で前記フレームに保持することを特徴とする。
【００１４】
以上の構成を採用することで、着脱可能な弾性部材を用いて最適な位置にて被張設体である布地等を保持できるため、張設した際に布地の変形等を好適に防止できるだけでなく、布地の挟みこみなどによる無駄を一切無くすことができる。更に、弾性部材の弾性力により個々の布地などのサイズに合わせた最適な張りを得ることができると共に、布地のサイズ変化にも対応することが可能となる。
【００１５】
加えて、布地等の被張設体が、枠体の内側に位置するため、染色中に染色液などで衣服を汚す心配が無い。
【００１６】
また、フレームを積み重ねることができ、狭い場所でも大量の布地を乾燥させることができる。
【００１７】
具体的な構成としては、前記フレームを、棒状のフレーム杆と、前記フレーム杆の端部を内部に嵌装させて隣接するフレーム杆同士を連結する連結部材とから構成することが望ましい。
【００１８】
このような構成とすることで、フレーム杆のサイズ変更や、連結個数を増やすことで様々なサイズの布地に対応することが可能となる。
【００１９】
また、連結部材とフレーム杆とをネジなどでは無く嵌装させて連結しているため、ある程度の動き代を持ち、歪みや変形に対応することができる。
【００２０】
更に、フレームの変形に柔軟に対応するためには、前記フレーム杆の一部又は全部を撓みを許容する部材にて構成すると共に、前記フレーム杆と前記連結部材とを摺動可能に連結することが考えられる。
【００２１】
加えて、前記弾性部材を、前記フレームに係止されるフック要素と、当該フック要素に着脱可能に連結され、前記フレームと前記被張設体との間で伸縮可能な伸縮要素にて構成し、当該伸縮要素の一端に他の伸縮要素を取付ける取付部を設け、当該取付部を用いて複数の伸縮要素を連設可能に構成することで、更なる布地のサイズ展開に応じることができ、また、張力も調節することが可能となる。また、フック要素により着脱可能としているためフレームへの着脱作業を容易なものとすることができる。
【００２２】
また、布地を最適な位置に維持させるためには、前記弾性部材の一端に、針状部を有する引掛要素を備え、当該引掛要素を用いて弾性部材を被張設体に止着させると共に、当該引掛要素を側面視横向きＵ字形状に構成していることが望ましい。
【００２３】
更に、被張設体の第一周辺と、当該第一周辺と隣接する第二周辺とを、異なる弾性部材にて個々に張設している構成していることで、布地が偏った方向に引っ張られることなく張設できる。
【００２４】
加えて、特に角部を有する被張設体を張設する際には、被張設体の第一周辺と、当該第一周辺と隣接する第二周辺とを、直交する方向に張設することが望ましい。
【００２５】
また、前記フレームを床面から離間させる台座部材を具備し、当該台座部材を、前記連結部材の下方に設けた台座部と、当該台座部に嵌装されたフレーム杆とから構成することで、特に大きな布地等を染める際に、安定して染めることができる。
【００２６】
加えて、例えばプラスチックでは強度が不足し経時変形が激しく、金属では変形した際に元に戻りにくいため、具体的なフレームの態様としては、フレームの全部又は一部を木材にて構成することが望ましい。
【００２７】
更に、このような張設具に好適に利用される弾性部材としては、張設具のフレームに一端を着脱可能に止着させると共に、他端を被張設体に対して着脱可能に止着させ、前記フレームと前記被張設体とを接続する弾性部材において、前記フレームに係止されるフック要素と、当該フック要素に着脱可能に連結され、前記フレームと前記被張設体との間で伸縮可能な伸縮要素と、当該伸縮要素の一端に他の伸縮要素を取付ける取付部とを具備し、当該取付部を用いて複数の伸縮要素を連設可能に構成することが望ましい。
【発明の効果】
【００２８】
本発明は、以上説明した構成であるから、着脱可能な弾性部材を用いて最適な位置にて被張設体である布地等を保持できるため、張設した際に布地の変形等を好適に防止できるだけでなく、布地の挟みこみなどによる無駄を一切無くすことができる。更に、弾性部材の弾性力により個々の布地などのサイズに合わせた最適な張りを得ることができると共に、布地のサイズ変化にも対応することが可能となる。
【００２９】
加えて、布地等の被張設体が、枠体の内側に位置するため、染色中に染色液などで衣服を汚す心配が無い。
【００３０】
また、フレームを積み重ねることができ、狭い場所でも大量の布地を乾燥させることができる。
【発明を実施するための最良の形態】
【００３１】
＜第一実施形態＞
本発明の実施形態を、図面を参照して説明する。
【００３２】
図１に示す張設具Ａは、布地Ｂ等の刷毛染めの際に利用するものであり、布地Ｂを張った状態で保持する役割を果たすものである。
【００３３】
具体的には、図１乃至図４に示すように、布地Ｂの周囲に配置するフレーム１と、前記フレーム１に一端を着脱可能に止着させると共に、他端を布地Ｂに対して着脱可能に止着させる弾性部材２とを具備し、前記弾性部材２の弾性力を利用して布地Ｂを張った状態で前記フレーム１に保持する。
【００３４】
以下、各構成について詳述する。
【００３５】
フレーム１は、図２に示すように、棒状のフレーム杆１１と、前記フレーム杆１１の端部を嵌装させて隣接するフレーム杆１１同士を連結する連結部材１２とから構成している。
【００３６】
フレーム杆１１は、撓みを許容する木製のものであり、具体的には、長手方向に各部等断面形状を有する直線状の丸棒であり、その表面には染色液汚染防止用のフィルムを被膜している。
【００３７】
また当該フレーム杆１１は、布地Ｂの辺と同じ数（本実施の形態においては４本）から一のフレーム１が構成されている。このフレーム杆１１の長さ寸法は、２０ｃｍ、４０ｃｍ、６５ｃｍと複数用意しており、布地Ｂの大きさに合わせてフレームサイズを変更できるようにしている。
【００３８】
連結部材１２は、前記フレーム杆１１の端部１１a、１１ｂを内部に嵌装させて隣接するフレーム杆１１同士を連結するものであり、内空のパイプ材にて形成している。
【００３９】
また、当該連結部材１２は長手方向に各部等断面形状を等しくするものであり、その外径は前記フレーム杆１１より大径をなす為、図５に示すように、当該連結部材１２の下面に床面Ｆと接地する接地部を形成し、当該連結部材１２の下面のみにて張設具Ａを床面Ｆに設置可能としている。
【００４０】
具体的には、平面視略Ｌ字形状を成す連結部本体１２１と、当該連結部本体１２１の両端に前記フレーム杆１１を嵌装する第一嵌装孔１２１ａと第二嵌装孔１２１ｂを形成しており、前記フレーム杆１１と前記連結部材１２とを摺動可能に連結している。
【００４１】
この第一嵌装孔１２１ａは、その内部に軟質ポリエチレン製のインナー材を外装した貫通孔であり、その内径を前記フレーム杆１１の外径と略同径としている。
【００４２】
第二嵌装孔１２１ｂは、前記第一嵌装孔１２１ａと同様に、その内部に軟質ポリエチレン製のインナー材を外装した貫通孔であり、その内径を前記フレーム杆１１の外径と略同径としている。また、当該第二嵌装孔１２１ｂは前記第一嵌装孔１２１ａと、互いに直交する方向に開口している。
【００４３】
弾性部材２は、図３、図６に示すように、前記フレーム杆１１に一端を着脱可能に止着させると共に、他端を前記布地Ｂに対して着脱可能に止着させるものであり、前記フレーム１の構成要素であるフレーム杆１１に係止されるフック要素２１と、当該フック要素２１に着脱可能に連結され、前記フレーム杆１１と前記布地Ｂとの間で伸縮可能な伸縮要素２２と、当該伸縮要素２２の一端に取付けられ前記布地Ｂを貫通して引っ掛ける引掛要素２３にて構成している。
【００４４】
また、図５に示すように、当該弾性部材２を用いて被張設体である布地Ｂを前記フレーム１の上面と下面との間に保持することができ、図８に示すように、複数の張設具Ａを高さ方向に重ねても布地Ｂ同士が接触しない構成としている。
【００４５】
更に、実際に布地Ｂを張設する際には、当該弾性部材２を複数用い最適な位置で布地Ｂを保持する。具体的には、図４に示すように、矩形状の布地Ｂを張設する際には、布地Ｂの第一周辺Ｂ１と当該第一周辺Ｂ１と隣接する第二周辺Ｂ２とを異なる弾性部材２にて個々に張設し、第一周辺Ｂ１と第二周辺Ｂ２とを直交する方向に張設するとよい。
【００４６】
フック要素２１はステンレス製のものであり、図６（ａ）に示すように、前記フレーム杆１１と略同径をなすフック部２１ａと、当該フック部２１ａの後方に形成される伸縮要素取付部２２ｂとからなる。
【００４７】
当該フック部２１ａは、布地Ｂ側を開口する側面視円弧形状のものであり、その布地Ｂ側に連続して一部を開口させた側面視円弧形状の伸縮要素取付部２２ｂを形成している。また、当該伸縮要素取付部２２ｂは前記フック部２１ａの高さ方向略中央位置に位置する。
【００４８】
伸縮要素２２は、本実施の形態においては引きバネにて構成しており、一端に水平方向に開口するフック取付部２２ａを設け、当該フック取付部２２ａを介して前記フック要素２１に着脱可能に取付けられる。
【００４９】
また、当該フック取付部２２ａは、図７に示す様に、当該伸縮要素２２の一端に他の伸縮要素２２を取付ける取付部を兼ねており、当該取付部及び後述する引掛要素２３を用いて複数の伸縮要素２２を連設可能に構成している。
【００５０】
引掛要素２３は、先端に布地Ｂを貫通可能な針状部２３ａを設けたものであり、側面視横向きＵ字形状を成している。詳述すると、側面視円弧部と当該円弧部から延長される水平部とを有している。そして布地Ｂは、当該引掛要素２３の円弧部略中央にて引っ掛けられることにより、布地Ｂを張設具Ａの高さ方向略中央に維持できるように構成している。
＜第二実施形態＞
本発明の第二実施形態を、図面を参照して説明する。
【００５１】
図９乃至図１２に示す張設具Ａは、特に大きな布地Ｂ等を染める際に張設具Ａを安定した状態に支持するために台座部材３を取り付けたものである。
【００５２】
具体的には、前記フレーム１を床面Ｆから離間させる台座部材３を具備し、当該台座部材３を第二連結部材１３の下方に設けた台座部３１と当該台座部３１に嵌装された台座用フレーム杆３２とから構成しており当該台座部材３にて張設具Ａを支持する。
【００５３】
尚、基本的な構成は前述の第一実施形態と同様であるため、同様の構成には同じ符号を付し説明を省略する。
【００５４】
第二連結部材１３は、図１１に示すように、内空のパイプ材にて形成しており、フレーム１を構成する連結部本体１３１と、この連結部本体１３１の下部に着脱可能に取り付けた前記台座部３１から構成している。
【００５５】
連結部本体１３１は、正面視略Ｔ字形状を成すものであり、水平部から垂下する取付杆１３１ｃを一体に形成し、その端部を前記台座部３１の内部に嵌装させて前記台座部３１を当該連結部本体１３１と水平方向に摺動可能に連結している。
【００５６】
詳述すると、水平部の両端に前記フレーム杆１１を嵌装する第一嵌装孔１３１ａと第二嵌装孔１３１ｂを形成しており、隣接するフレーム杆１１を摺動可能に連結している。
【００５７】
この第一嵌装孔１３１ａは、その内部に軟質ポリエチレン製のインナー材を外装した貫通孔であり、その内径を前記フレーム杆１１の外径と略同径としている。
【００５８】
第二嵌装孔１３１ｂは、前記第一嵌装孔１３１ａと同様に、その内部に軟質ポリエチレン製のインナー材を外装した貫通孔であり、その内径を前記フレーム杆１１の外径と略同径としている。また、当該第二嵌装孔１３１ｂは前記第一嵌装孔１３１ａと直線状に連通している。
【００５９】
取付杆１３１ｃは、上部を前記連結部本体１３１と同径を成す部分にて構成すると共に、その下部を前記フレーム杆１１と略同径を成す構成とし、当該外径差により段差３３を設け台座部３１のストッパ機能発揮している。
【００６０】
台座部３１は、垂直部と水平部からなる側面視Ｌ字形状を成すものであり、上端に取付杆嵌装孔３１ｂを開口すると共に、下端に台座用フレーム杆嵌装孔３１ａを開口している。
【００６１】
尚、当該台座部３１は、前記連結部材１２と同様の部材を使用してもよい。
【００６２】
この取付杆嵌装孔３１ｂは、その内部に軟質ポリエチレン製のインナー材を外装した貫通孔であり、その内径を前記台座用フレーム杆３２の外径と略同径としている。
【００６３】
台座用フレーム杆嵌装孔３１ａは、前記取付杆嵌装孔３１ｂと同様に、その内部に軟質ポリエチレン製のインナー材を外装した貫通孔であり、その内径を前記台座用フレーム杆３２の外径と略同径としている。また、当該台座用フレーム杆嵌装孔３１ａは前記取付杆嵌装孔３１ｂと、互いに直交する方向に開口している。
【００６４】
台座用フレーム杆３２は、本実施の形態においては前記フレーム杆１１を用いている。
【００６５】
具体的には、撓みを許容する木製のものであり、長手方向に各部等断面形状を有する直線状の丸棒である。また、その表面には染色液汚染防止用のフィルムを被膜している。そのサイズは、２０ｃｍ、４０ｃｍ、６５ｃｍと複数用意しており、布地Ｂの大きさに合わせて変更できるようにしている。
【００６６】
以上の構成を採用することで、着脱可能な弾性部材２を用いて最適な位置にて被張設体である布地Ｂを保持できるため、張設した際に布地Ｂの変形等を好適に防止できるだけでなく、布地Ｂの挟みこみなどによる無駄を一切無くすことができる。更に、弾性部材２の弾性力により個々の布地Ｂなどのサイズに合わせた最適な張りを得ることができると共に、布地Ｂのサイズ変化にも対応することが可能となる。
【００６７】
加えて、布地Ｂ等の被張設体が、枠体の内側に位置するため、染色中に染色液などで衣服を汚す心配が無い。
【００６８】
また、フレーム１を積み重ねることができ、狭い場所でも大量の布地Ｂを乾燥させることができる。
【００６９】
加えて、前記フレーム１を、棒状のフレーム杆１１と、前記フレーム杆１１の端部を内部に嵌装させて隣接するフレーム杆１１同士を連結する連結部材１２とから構成していることで、簡易にフレーム１を作成することができると共に、フレーム杆１１のサイズ変更や、連結個数を増やすことで様々なサイズの布地Ｂに対応することが可能となる。
【００７０】
更に、連結部材１２とフレーム杆１１とをネジなどでは無く嵌装させて連結しているため、ある程度の動き代を持ち、歪みや変形に対応することができる。
【００７１】
更に、前記フレーム杆１１の一部又は全部を撓みを許容する部材にて構成すると共に、前記フレーム杆１１と前記連結部材１２とを摺動可能に連結していることで、更にフレーム１の変形に対応できる。
【００７２】
加えて、前記弾性部材２を、前記フレーム１に係止されるフック要素２１と、当該フック要素２１に着脱可能に連結され、前記フレーム１と前記被張設体との間で伸縮可能な伸縮要素２２にて構成し、当該伸縮要素２２の一端に他の伸縮要素２２を取付ける取付部２２ａを設け、当該取付部２２ａを用いて複数の伸縮要素２２を連設可能に構成することで、更なる布地Ｂのサイズ展開に応じることができ、また、張力も調節することが可能となる。更に、フック要素２１により着脱可能としているためフレーム１への着脱作業を容易なものとすることができる。
【００７３】
また、前記弾性部材２の一端に、針状部２３ａを有する引掛要素２３を備え、当該引掛要素２３を用いて弾性部材２を被張設体に止着させると共に、当該引掛要素２３を側面視横向きＵ字形状に構成していることで、布地Ｂを最適な位置に維持できる。
【００７４】
更に、被張設体の第一周辺Ｂ１と、当該第一周辺Ｂ１と隣接する第二周辺Ｂ２とを、異なる弾性部材２にて個々に張設することで、布地Ｂが偏った方向に引っ張られることなく張設できる。
【００７５】
加えて、被張設体の第一周辺Ｂ１と当該第一周辺Ｂ１と隣接する第二周辺Ｂ２とを直交する方向に張設することで、特に角部を有する被張設体を当該角部を維持したまま張設することができる。
【００７６】
また、前記フレーム１を床面Ｆから離間させる台座部材３を具備し、当該台座部材３を、前記第二連結部材１３の下方に設けた台座部３１と、当該台座部３１に嵌装された台座用フレーム杆３２とから構成することで、特に大きな布地Ｂ等を染める際に、安定して染めることができる。
【００７７】
加えて、フレーム杆１１を木材にて構成しているため、コスト減を実現すると共に、経時変化が少なく好適な撓みを得ることが可能となる。
【００７８】
なお、各部の具体的な構成は、上述した実施形態のみに限定されるものではなく、本発明の趣旨を逸脱しない範囲で種々変形が可能である。
【００７９】
例えば、本実施の形態においては、弾性部材２をフック要素２１と、このフック要素２１と着脱可能な伸縮要素２２等から構成しているが、これらを一体の構成としても良い。
【００８０】
更に、連結部材１２の形状等は本実施の形態に限られず、直線状や円弧状とすることも考えられる。
【００８１】
また、本第一実施形態においては、弾性部材２を用いて布地Ｂの隅部近傍のみを保持しているが、布地Ｂの伸縮性や大きさに合わせて、布地Ｂの隅部以外の部分、例えば布地Ｂの中央部分等をも弾性部材２を用いて保持してもよい。
【００８２】
加えて、布地Ｂの性質に合わせて弾性力が異なる複数の弾性部材２を用いて張設することも考えられる。具体的には、縦糸と横糸の相違等に合わせて、布地Ｂの縦方向と横方向とを、弾性力が異なる弾性部材２を用いて布地Ｂを最適に張設してもよい。
【００８３】
また、伸縮要素取付部２１ｂやフック取付部２２ａの形状や取付態様も本実施の形態に記載のものに限られない。例えば、本実施の形態においては製造の容易性を確保する観点から図６（ｂ）に示すように、フック要素２１の伸縮要素取付部２１ｂの一部をフック部２１ａから平面視において変位する位置にずらした形状としているが、フック部２１ａと直線状を成す形状とすることも考えられる。
【００８４】
更に、図８に示すように張設具Ａを重ね合わせる際には、前記台座部材３を取付けた状態で重ね合わせてもよい。
【００８５】
これにより、隣接する張設具Ａ間に隙間を形成することができ、染色後、布地Ｂを乾燥させる際などに通気性を向上させることができる。
【図面の簡単な説明】
【００８６】
【図１】本発明の第一実施形態の張設具Ａを示す斜視図。
【図２】同実施形態の張設具Ａを示す分解斜視図。
【図３】同実施形態の張設具Ａを示す拡大分解斜視図。
【図４】同実施形態の張設具Ａを示す平面図。
【図５】同実施形態の張設具Ａを床面Ｆに設置させた状態を示す側面図。
【図６】（ａ）同実施形態の弾性部材２を示す側面図。
【００８７】
（ｂ）同実施形態の弾性部材２を示す平面図。
【図７】同実施形態の伸縮要素２２を連設させた状態を示す斜視図。
【図８】同実施形態の張設具Ａを重ねた状態を示す斜視図。
【図９】本発明の第二実施形態の張設具Ａを示す斜視図。
【図１０】同実施形態の張設具Ａを示す分解斜視図。
【図１１】同実施形態の張設具Ａを示す拡大分解斜視図。
【図１２】同実施形態の張設具Ａを床面Ｆに設置させた状態を示す側面図。
【符号の説明】
【００８８】
Ａ・・・張設具
Ｂ・・・布地
Ｂ１・・・第一周辺
Ｂ２・・・第二周辺
Ｆ・・・床面
１・・・フレーム
２・・・弾性部材
３・・・台座部材
１１・・・フレーム杆
１２・・・連結部材
１３・・・連結部材（第二連結部材）
２１・・・フック要素
２２・・・伸縮要素
２２a・・・取付部（伸縮要素取付部）
２３・・・引掛要素
２３a・・・針状部
３１・・・台座部
３２・・・フレーム杆（台座用フレーム杆）
【図１】
2006056154.tif 000003
【図２】
2006056154.tif 000004
【図３】
2006056154.tif 000005
【図４】
2006056154.tif 000006
【図５】
2006056154.tif 000007
【図６】
2006056154.tif 000008
【図７】
2006056154.tif 000009
【図８】
2006056154.tif 000010
【図９】
2006056154.tif 000011
【図１０】
2006056154.tif 000012
【図１１】
2006056154.tif 000013
【図１２】
2006056154.tif 000014